【手続補正書】
【提出日】平成18年9月13日(2006.9.13)
【手続補正１】
【補正対象書類名】明細書
【補正対象項目名】発明の名称
【補正方法】変更
【補正の内容】
【発明の名称】受信システム、デジタル放送システム、および受信方法
【手続補正２】
【補正対象書類名】明細書
【補正対象項目名】特許請求の範囲
【補正方法】変更
【補正の内容】
【特許請求の範囲】
【請求項１】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信部と、
前記ＮＩＴパケット以外のパケットのＰＩＤを、置換対象のＰＩＤとして指定することができるＰＩＤ指定部と、
前記ＰＩＤ指定部により指定されたＰＩＤを格納するリプレースＰＩＤ格納器と、
前記サービス情報からＳＩＴパケットを生成処理するＳＩＴ生成処理部と、
前記リプレースＰＩＤ格納器で指示されたリプレース・パケット、および前記ＮＩＴパケットを前記ＳＩＴパケットでリプレースするパケット抽出置換部とを備えたことを特徴とする受信システム。
【請求項２】
前記送信システムは、前記（１）から（３）以外に置換用のダミー・パケットを生成して、前記ダミー・パケットを前記トランスポート・ストリームに挿入して送信を行い、
前記ＰＩＤ指定部は、そのダミー・パケットのＰＩＤを前記置換対象のＰＩＤとして指定することを特徴とする請求項１記載の受信システム。
【請求項３】
前記送信システムは、前記ＳＩＴパケットの頻度情報を生成し、そのＳＩＴパケットの頻度情報を送信し、
前記ＰＩＤ指定部は、前記ＳＩＴパケットの頻度情報を参照して、前記置換対象のＰＩＤを指定することを特徴とする請求項１又は２記載の受信システム。
【請求項４】
前記受信部により受信したトランスポート・ストリームの表示／記録用の出力の切換えを行う出力切換え手段をさらに備え、
前記ＰＩＤ指定部により指定された置換対象のＰＩＤは、非記録番組のコンテンツをもつパケットのＰＩＤの全部または一部であり、
前記パケット抽出置換部は、非記録番組のコンテンツをもつパケットを前記ＳＩＴパケットでリプレースすることを特徴とする請求項３記載の受信システム。
【請求項５】
前記ＰＩＤ指定部は、非記録番組のコンテンツ、またはＥＩＴ、またはＳＤＴのパケットを指定し、
前記パケット抽出置換部は、前記ＳＩＴパケットの頻度情報を参照して、前記ＰＩＤ指定部により指定されたＰＩＤをもつパケットの中から選択して、前記ＳＩＴパケットでリプレースすることを特徴とする請求項４記載の受信システム。
【請求項６】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムと、
前記送信システムから送信されたトランスポート・ストリームを受信する受信部と、前記ＮＩＴパケット以外のパケットのＰＩＤを、置換対象のＰＩＤとして指定することができるＰＩＤ指定部と、前記ＰＩＤ指定部により指定されたＰＩＤを格納するリプレースＰＩＤ格納器と、前記サービス情報からＳＩＴパケットを生成処理するＳＩＴ生成処理部と、前記リプレースＰＩＤ格納器で指示されたリプレース・パケット、および前記ＮＩＴパケットを前記ＳＩＴパケットでリプレースするパケット抽出置換部とを有する受信システムとを備えたことを特徴とするデジタル放送システム。
【請求項７】
（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信ステップと、
前記ＮＩＴパケット以外のパケットのＰＩＤを、置換対象のＰＩＤとして指定することができるＰＩＤ指定ステップと、
前記ＰＩＤ指定部により指定されたＰＩＤを格納するリプレースＰＩＤ格納ステップと、
前記サービス情報からＳＩＴパケットを生成処理するＳＩＴ生成処理ステップと、
前記リプレースＰＩＤ格納ステップで指示されたリプレース・パケット、および前記ＮＩＴパケットを前記ＳＩＴパケットでリプレースするパケット抽出置換ステップとを備えたことを特徴とする受信方法。
【手続補正３】
【補正対象書類名】明細書
【補正対象項目名】０００１
【補正方法】変更
【補正の内容】
【０００１】
【発明の属する技術分野】
本発明は、受信システム、デジタル放送システム、および受信方法に関する。
【手続補正４】
【補正対象書類名】明細書
【補正対象項目名】００６１
【補正方法】変更
【補正の内容】
【００６１】
本発明は、このような課題を考慮し、ＳＩＴパケットでリプレースすることのできるリプレース・パケットを確実に確保できる受信システム、デジタル放送システム、および受信方法を提供することを目的とするものである。
【手続補正５】
【補正対象書類名】明細書
【補正対象項目名】００６２
【補正方法】変更
【補正の内容】
【００６２】
【課題を解決するための手段】
第一の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信部と、
前記ＮＩＴパケット以外のパケットのＰＩＤを、置換対象のＰＩＤとして指定することができるＰＩＤ指定部と、
前記ＰＩＤ指定部により指定されたＰＩＤを格納するリプレースＰＩＤ格納器と、
前記サービス情報からＳＩＴパケットを生成処理するＳＩＴ生成処理部と、
前記リプレースＰＩＤ格納器で指示されたリプレース・パケット、および前記ＮＩＴパケットを前記ＳＩＴパケットでリプレースするパケット抽出置換部とを備えたことを特徴とする受信システムである。
【手続補正６】
【補正対象書類名】明細書
【補正対象項目名】００６３
【補正方法】変更
【補正の内容】
【００６３】
第二の本発明は、前記送信システムは、前記（１）から（３）以外に置換用のダミー・パケットを生成して、前記ダミー・パケットを前記トランスポート・ストリームに挿入して送信を行い、
前記ＰＩＤ指定部は、そのダミー・パケットのＰＩＤを前記置換対象のＰＩＤとして指定することを特徴とする第一の本発明の受信システムである。
【手続補正７】
【補正対象書類名】明細書
【補正対象項目名】００６４
【補正方法】変更
【補正の内容】
【００６４】
第三の本発明は、前記送信システムは、前記ＳＩＴパケットの頻度情報を生成し、そのＳＩＴパケットの頻度情報を送信し、
前記ＰＩＤ指定部は、前記ＳＩＴパケットの頻度情報を参照して、前記置換対象のＰＩＤを指定することを特徴とする第一又は二の本発明の受信システムである。
【手続補正８】
【補正対象書類名】明細書
【補正対象項目名】００６５
【補正方法】変更
【補正の内容】
【００６５】
第四の本発明は、前記受信部により受信したトランスポート・ストリームの表示／記録用の出力の切換えを行う出力切換え手段をさらに備え、
前記ＰＩＤ指定部により指定された置換対象のＰＩＤは、非記録番組のコンテンツをもつパケットのＰＩＤの全部または一部であり、
前記パケット抽出置換部は、非記録番組のコンテンツをもつパケットを前記ＳＩＴパケットでリプレースすることを特徴とする第三の本発明の受信システムである。
【手続補正９】
【補正対象書類名】明細書
【補正対象項目名】００６６
【補正方法】変更
【補正の内容】
【００６６】
第五の本発明は、前記ＰＩＤ指定部は、非記録番組のコンテンツ、またはＥＩＴ、またはＳＤＴのパケットを指定し、
前記パケット抽出置換部は、前記ＳＩＴパケットの頻度情報を参照して、前記ＰＩＤ指定部により指定されたＰＩＤをもつパケットの中から選択して、前記ＳＩＴパケットでリプレースすることを特徴とする第四の本発明の受信システムである。
【手続補正１０】
【補正対象書類名】明細書
【補正対象項目名】００６７
【補正方法】変更
【補正の内容】
【００６７】
第六の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムと、
前記送信システムから送信されたトランスポート・ストリームを受信する受信部と、前記ＮＩＴパケット以外のパケットのＰＩＤを、置換対象のＰＩＤとして指定することができるＰＩＤ指定部と、前記ＰＩＤ指定部により指定されたＰＩＤを格納するリプレースＰＩＤ格納器と、前記サービス情報からＳＩＴパケットを生成処理するＳＩＴ生成処理部と、前記リプレースＰＩＤ格納器で指示されたリプレース・パケット、および前記ＮＩＴパケットを前記ＳＩＴパケットでリプレースするパケット抽出置換部とを有する受信システムとを備えたことを特徴とするデジタル放送システムである。
【手続補正１１】
【補正対象書類名】明細書
【補正対象項目名】００６８
【補正方法】変更
【補正の内容】
【００６８】
第七の本発明は、（１）圧縮符号化された番組のコンテンツと、（２）少なくともＮＩＴ、ＰＡＴ、ＰＭＴを有するプログラム仕様情報と、（３）少なくともＳＤＴ、ＥＩＴを有するサービス情報とを多重化して、トランスポート・ストリームを生成して送信する送信システムから送信されたトランスポート・ストリームを受信する受信ステップと、
前記ＮＩＴパケット以外のパケットのＰＩＤを、置換対象のＰＩＤとして指定することができるＰＩＤ指定ステップと、
前記ＰＩＤ指定部により指定されたＰＩＤを格納するリプレースＰＩＤ格納ステップと、
前記サービス情報からＳＩＴパケットを生成処理するＳＩＴ生成処理ステップと、
前記リプレースＰＩＤ格納ステップで指示されたリプレース・パケット、および前記ＮＩＴパケットを前記ＳＩＴパケットでリプレースするパケット抽出置換ステップとを備えたことを特徴とする受信方法である。
【手続補正１２】
【補正対象書類名】明細書
【補正対象項目名】０２１０
【補正方法】変更
【補正の内容】
【０２１０】
なお、上述した実施の形態において、ＰＩＤフィルタとＳＩＴパケット置換器を合わせた部材は、（特許請求の範囲）に述べられているパケット抽出置換部に対応している。
【手続補正１３】
【補正対象書類名】明細書
【補正対象項目名】０２２２
【補正方法】削除
【補正の内容】